(57)【要約】【課題】グリップ部材の外径や軸筒の把持部外径に影響されることなく、グリップ部材の把持感触がよく、滑り止め効果が向上する筆記具の軸筒を提供する。【解決手段】軸筒本体の把持部に、軟質材からなるグリップ部材を装着してなる筆記具の軸筒において、前記把持部に貫通孔を、適宜間隔を空けて複数個、形成し、前記グリップ部材を、前記貫通孔を覆うように装着するとともに、前記貫通孔間の把持部に対向する位置のグリップ部材を把持することで、前記貫通孔間の把持部が、軸筒本体の内方方向に撓み可能としたことを特徴とする。【選択図】          図２
2009083287.tif 000002
【特許請求の範囲】
【請求項１】
軸筒本体の把持部に、軟質材からなるグリップ部材を装着してなる筆記具の軸筒において、前記把持部に貫通孔を、適宜間隔を空けて複数個、形成し、前記グリップ部材を、前記貫通孔を覆うように装着するとともに、前記貫通孔間の把持部に対向する位置のグリップ部材を把持することで、前記貫通孔間の把持部が、軸筒本体の内方方向に撓み可能としたことを特徴とする筆記具の軸筒
【請求項２】
前記貫通孔が、軸心方向に沿って延び、適宜間隔を空けて径方向の異なる位置に複数個、形成してなるとともに、前記貫通孔の軸心方向の長さを、前記貫通孔間の把持部における径方向の幅よりも長くしたことを特徴とする請求項１に記載の筆記具の軸筒
【請求項３】
前記貫通孔間の把持部における軸方向の長さが、前記貫通孔間の把持部における径方向の幅の２倍以上としたことを特徴とする請求項２に記載の筆記具の軸筒
【請求項４】
前記軸筒本体の先端部に、口先部を一体に形成し、前記口先部が、前記帯状の把持部によって、前記軸筒本体と一体に形成するとともに、前記貫通孔が、前記口先部の後端近傍まで形成していることを特徴とする請求項２または３に記載の筆記具の軸筒
【請求項５】
前記グリップ部材が、前記貫通孔に対向する位置に内方に突出する凸部を形成し、前記グリップ部材の凸部が前記貫通孔を塞ぐように、且つ把持部に融着したことを特徴とする請求項１ないし４の何れか１項に記載の筆記具の軸筒
【請求項６】
前記貫通孔のグリップ側の開口幅が、１０ｍｍ以下であることを特徴とする請求項１ないし５の何れか１項に記載の筆記具の軸筒
【請求項７】
前記貫通孔の総体積が、前記貫通孔間の把持部の総体積よりも大きいことを特徴とする請求項１ないし６の何れか１項に記載の筆記具の軸筒
【発明の詳細な説明】
【技術分野】
【０００１】
本発明は、軸筒本体の把持部に、軟質材からなるグリップ部材を装着してなる筆記具の軸筒に関する。
【背景技術】
【０００２】
従来から、軸筒本体の把持部に、軟質材からなるグリップ部材を装着してなる筆記具の軸筒構造はよく知られている。
【０００３】
こうした筆記具の軸筒において、把持感触の向上や長時間の筆記の疲れを抑制するため、軸筒本体の把持部にグリップ部材を装着してなる筆記具の軸筒もよく知られている。
【０００４】
ところで、グリップ部材を握った時の把持感触を向上させる技術として、実開平７−１５３７３号号「軸体のグリップ」や実開平７−３７６８０号「軸体のグリップ装置」等で、軸筒の把持部とグリップ部材の内壁面とに空隙を設けることで、グリップ部材の変形量を多くすることが開示されている。
【０００５】
また、軟らかいフィット感を出す機能の向上を得るために、特開平１１−１３９０７０号「筆記具の軸」では、軸筒本体の把持部に、内部への貫通穴を形成し、この貫通孔を塞ぐようにグリップ部材を装着することで、貫通穴内部への変形を可能とした筆記具の軸筒が開示されている。
【特許文献１】実開平７−１５３７３号公報
【特許文献２】実開平７−３７６８０号公報
【特許文献３】特開平１１−１３９０７０号公報
【発明の開示】
【発明が解決しようとする課題】
【０００６】
しかし、特許文献１、２は、軸筒の把持部とグリップ部材の内壁面とに空隙を設ける必要があり、グリップ部材の外径を大きくする、または、軸筒の把持部外径を小さくする等の構造上の制約が多いという問題があった。
【０００７】
また、特許文献３は、内部への貫通穴を形成し、この貫通孔を塞ぐようにグリップ部材を装着するだけなので、構造上の制約は少ないように見えるが、貫通穴内部への変形は、貫通孔の大きさ及びグリップ部材の肉厚に比例して多くなるため、軟らかい把持感触を得るには、グリップ部材の肉厚量を厚くする必要があるとともに、貫通孔を形成した部分でしか軟らかい把持感触が得られないため、結果的にはグリップ部材の外径を大きく、または、軸筒の把持部外径を小さくする等の構造上の制約があるいう問題があった。
【０００８】
本発明の目的は、本発明者は上記問題を鑑み、グリップ部材の外径や軸筒の把持部外径に影響されることなく、グリップ部材の把持感触がよく、滑り止め効果が向上する筆記具の軸筒を提供することである。
【課題を解決するための手段】
【０００９】
本発明は、軸筒本体の把持部に、軟質材からなるグリップ部材を装着してなる筆記具の軸筒において、前記把持部に貫通孔を、適宜間隔を空けて複数個、形成し、前記グリップ部材を、前記貫通孔を覆うように装着するとともに、前記貫通孔間の把持部に対向する位置のグリップ部材を把持することで、前記貫通孔間の把持部が、軸筒本体の内方方向に撓み可能としたことを特徴とする。
【００１０】
また、前記貫通孔が、軸心方向に沿って延び、適宜間隔を空けて径方向の異なる位置に複数個、形成してなるとともに、前記貫通孔の軸心方向の長さを、前記貫通孔間の把持部における径方向の幅よりも長くしたことを特徴とする。
【００１１】
また、前記貫通孔間の把持部における軸方向の長さが、前記貫通孔間の把持部における径方向の幅の２倍以上としたことを特徴とする。
【００１２】
更にまた、前記軸筒本体の先端部に、口先部を一体に形成し、前記口先部が、前記帯状の把持部によって、前記軸筒本体と一体に形成するとともに、前記貫通孔が、前記口先部の後端近傍まで形成していることを特徴とする。
【００１３】
また、前記グリップ部材が、前記貫通孔に対向する位置に内方に突出する凸部を形成し、前記グリップ部材の凸部が前記貫通孔を塞ぐように、且つ把持部に融着したことを特徴とする。
【００１４】
更にまた、前記貫通孔のグリップ側の開口幅が、１０ｍｍ以下であることを特徴とする。
【００１５】
更にまた、前記貫通孔の総体積が、前記貫通孔間の把持部の総体積よりも大きいことを特徴とする。
【発明の効果】
【００１６】
本発明は、グリップ部材の外径や軸筒の把持部外径に影響されることなく、グリップ部材の把持感触がよく、滑り止め効果が向上する筆記具の軸筒を提供することができた。
【発明を実施するための最良の形態】
【００１７】
次に図面を参照しながら、本発明の筆記具の軸筒の実施例を説明するが、本発明は以下の実施例に限定されるものではない。
【００１８】
実施例１
図１から図５に示す実施例１の筆記具の軸筒１は、ポリプロピレンからなる前軸２と後軸３を螺合して軸筒を構成し、軸筒２、３内には、筆記具用インキ（図示せず）を収容したインキ収容管６の先端部にボールペンチップ７を装着した筆記具用レフィルを配設してあり、前軸２を取り外すことで、筆記具用レフィルを交換可能としてある。また、前軸２の把持部にはグリップ部材４を配設し、前軸２にキャップ（図示せず）を着脱自在に装着してなるキャップ式筆記具の軸筒１である。
【００１９】
前軸２の把持部には、軸心方向に沿って延びる貫通孔５を、適宜間隔を空けて、径方向の異なる６箇所に形成してあり、この貫通孔５を覆うようにグリップ部材４を装着してある。このように、前軸２の把持部に、軸心Ｊ方向に沿って延びる貫通孔５を、適宜間隔を空けて、径方向の異なる位置に複数個、形成することで、貫通孔５間に帯状の把持部２ａが形成される。
【００２０】
この貫通孔５間の帯状の把持部２ａに対向する位置のグリップ部材４を把持した時の指の押圧力（図４の矢印Ｇ方向）によって、貫通孔５間の帯状の把持部２ａが、前軸２の内方方向に撓み可能となる。
【００２１】
具体的には、貫通孔５のグリップ部材４側の開口幅Ｄ、内壁側の開口幅Ｃ、軸心方向の長さＬ、深さＭの貫通孔５を径方向の異なる位置に６箇所形成してあり、この貫通孔５を覆うようにグリップ部材４を装着してある。グリップ部材４は、貫通孔５間の把持部２ａに対向する位置の厚さＥのオレフィン系の熱可塑性エラストマー（硬度、Ｈｓ５０）を２色成形にて一体に、かつ把持部に融着して装着してある。また、グリップ部材４は、貫通孔５に対向する位置に内方に突出する凸部４ａを形成し、グリップ部材４の凸部４ａが貫通孔５を塞ぐように、前軸２と２色成形により融着して、貫通孔５部分のグリップ部材４の肉厚Ｆとしてある。
【００２２】
尚、貫通孔５は、前軸２を割り型の成形品で形成する場合を考慮して、図４に示すように、抜き勾配を形成することが好ましい。尚、貫通孔５間の把持部２ａにおける、前軸２の内方方向に撓みに関しては、貫通孔５間の把持部２ａにおける径方向の最大の幅Ｂ部分に依存するところが大きいため、本発明における貫通孔５間の把持部２ａにおける径方向の幅Ｂは、最大部分を示すものである。
【００２３】
本発明は、貫通孔５間の帯状の把持部２ａに対向する位置のグリップ部材４を把持した時の指の押圧力（図３の矢印Ｇ方向）によって、貫通孔５間の帯状の把持部２ａが、前軸２の内方方向に撓み可能としてあるので、グリップ部材４の外径ｎや前軸２の把持部外径ｍに影響することなく、グリップ部材４の把持感触を向上し、貫通孔５間の把持部が内方方向に撓むことで、把持しやすく、グリップ部材と指との接触面積も向上し、滑り止め効果を向上することができる。
【００２４】
特に、貫通孔５間の把持部２ａにおける軸心Ｊ方向の長さＬを、径方向の幅Ｂよりもできるだけ長くすることで、貫通孔５間の把持部２ａが内方方向に撓み易くなるので好ましい。具体的には、貫通孔５間の把持部２ａにおける軸心Ｊ方向の長さＬを、径方向の幅Ｂの２倍以上、好ましくは５倍以上とすることで、内方方向により撓み易くすることができる。但し、貫通孔５間の把持部２ａにおける軸心方向の長さＬを、径方向の幅Ｂの５０倍を超えると、把持部が塑性変形や破損する恐れがあるため、２倍以上、５０倍以下とすることが好ましい。
【００２５】
また、把持した時の指の軸心Ｊ方向の位置は、使用者によって様々であるため、貫通孔５を軸心Ｊ方向に沿って形成するには、貫通孔５の軸心方向の長さＬは、グリップ部材４の全長Ｎの１／２以上、好ましくは全長Ｎと略同等であることが望ましい。また、把持部の中央よりも先端側を把持する使用者が多い実態を鑑みると、少なくとも把持部の中央よりも先端側に貫通孔を形成することが好ましい。
【００２６】
本発明は、貫通孔５を形成し、貫通孔５間の把持部２ａを内側に撓み可能としてあるが、グリップ部材４の貫通孔５に対向する位置に形成した内方に突出する凸部４ａを、貫通孔５を塞ぐように融着することで、貫通孔５間の把持部２ａが内方方向への撓み性は低下するものの、貫通孔５間の把持部２ａが内方方向に撓んだ後の戻り性（図３の矢印Ｇの反対方向）が向上し、貫通孔５間の把持部２ａの塑性変形や破損を防止するので好ましい。
【００２７】
尚、貫通孔５の大きさは、特に限定されるものではないが、貫通孔５の内壁側の開口幅Ｃが小さいと、貫通孔５間の帯状の把持部２ａが、前軸２の内方方向に撓み難くなり、貫通孔５のグリップ部材４側の開口幅Ｄが広すぎると、指が貫通孔５間の帯状の把持部２ａに対向する位置に当接し難くなる。そのため、個人差はあるものの、少なくとも貫通孔のグリップ部材４側の開口幅Ｄが１０ｍｍ以下、好ましくは５ｍｍ以下であれば、貫通孔に対向する位置のみ指が当接することを抑制することができ、把持した時の感触、貫通孔間の把持部の内方方向への撓む感を得ることができる。また、貫通孔５の内壁側の開口幅Ｃが２ｍｍ以上、好ましくは３ｍｍ以上であれば、貫通孔５間の帯状の把持部２ａが、前軸２の内方方向に撓み性の低下を抑制できる。
【００２８】
また、貫通孔５の総体積が、貫通孔５間の把持部２ａの総体積よりも大きくすることが好ましい。これは、貫通孔と貫通孔間の長さ、幅も重要であるが、それぞれの厚さ（深さ）も前軸２の内方方向に撓みに影響がある。そのため、貫通孔５の総体積を、貫通孔５間の把持部２ａの総体積よりも大きくすることも、貫通孔５間の把持部２ａを前軸２の内方方向に撓み易くするための要因の一つであるためである。尚、貫通孔５の総体積は、貫通孔５の形成前の把持部と、貫通孔５を形成後の把持部の体積との差にて求めることもできる。
【００２９】
また、貫通孔５の数も特に限定されるものではないが、筆記時に、親指、人差し指、中指の３本が当接することを考慮して、貫通孔５を径方向で３箇所以上形成し、貫通孔５間の把持部２ａを３箇所以上設けることが最も好ましい。尚、前述の通り、把持した時の感触のバラツキを抑制するには、略同一幅の貫通孔を均等に形成することが好ましい。
【００３０】
本発明は、貫通孔５間の把持部２ａに対向する位置のグリップ部材４を把持することで、貫通孔５間の把持部２ａが、軸筒本体の内方方向に撓み可能としてあるが、具体的は、貫通孔５間の把持部２ａが撓みを開始する押圧力が５００ｇを超えると、把持力の弱い使用者が把持しても内側に撓まない恐れがあるため、５００ｇ以下の押圧力で撓むことが望ましい。一方、１０ｇ未満の押圧力で把持部２ａが撓むと、筆記の時に安定して把持し難く、細かな文字等を筆記し難い問題があるため、１０ｇ以上、５００ｇ以下の押圧力で撓むことが好ましい。
【００３１】
この貫通孔５間の把持部２ａが、軸筒本体の内方方向に撓む押圧力は、プッシュプルスケールの先端部に、先端８ａが鋭角な縦断面が略三角形の補助具８を取付け、貫通孔５間の把持部２ａに対し、補助具８の先端８ａが前軸２の軸心Ｊの略垂線上に位置させて、グリップ部材４を装着した前軸２を金属板等の硬質の平滑面９上に横向きに置き、補助具８の先端８ａがグリップ部材４に当接した状態から荷重を加え、荷重方向（図５の矢印Ｉ方向）に、貫通孔５間の把持部２ａが沈んだ時の荷重を測定した数値を押圧力とするものである。
【００３２】
また、前軸２の把持部に、軸心方向に沿って延びる貫通孔５を、適宜間隔を空けて径方向の異なる位置に複数個、形成することで、筆記時の筆圧によって把持部全体が撓み（図１の矢印Ｈ方向）可能となるため、筆記感触が向上する効果も奏する。
【００３３】
尚、本実施例では便宜上、前軸２の先端部に口先部２ｂを一体に形成してあるが、前軸２の先端部に口先部材を螺着した構造であってもよい。但し、実施例のように、前軸２に口先部２ｂとを一体に形成することで、口先部を装着する手間が省けるとともに、口先部との装着部を設けなくてもよいので、口先部の後端近傍まで貫通孔を形成できるので、口先部近傍を把持しても貫通孔間の把持部に当接するため、最も好ましい。
【００３４】
また、実施例では、前軸２と後軸３を着脱自在に連結して軸筒を得ているが、前軸２と後軸３を一体に形成してあってもよい。更にまた、グリップ部材４を２色成形によって、前軸２と一体に形成することが製造上、最も好ましいが、前軸２を形成後、グリップ部材４を着脱自在に装着する構造であってもよい。
【００３５】
尚、本発明の筆記具の軸筒には、ポリプロピレン、ポリエチレンテレフタレート、アクリル樹脂、ＡＢＳ樹脂等の樹脂材料や金属等、筆記具の軸筒として知られている材料を適宜選択して用いることができるが、曲げ性の高い材料、例えば、ポリプロピレンを用いることで、貫通孔間の把持部が、軸筒本体の内方方向に撓み易く、撓み量を大きくすることが可能となるため最も好ましい。
【００３６】
また、本発明のグリップ部材には、弾性変形可能なシリコーンゴム、天然ゴム、ブチルゴム、フッ素ゴム、ブタジエンゴム、ウレタンゴム、その他合成ゴム、熱可塑性エラストマー等、一般的に知られている弾性体のなかから適宜選定すればよいが、組立性や貫通孔間の把持部が撓み、グリップ部材と離間することを防止することを考慮して、実施例に例示したように、軸筒と２色成形により一体に、且つ軸筒本体とグリップ部材を融着することが最も好ましい。尚、透明又は半透明のグリップ部材とすることで、軸筒内のボールペンレフィルのインキ色やインキ残量を外部から視認することができる。
【産業上の利用可能性】
【００３７】
本発明の筆記具の軸筒は、インキやペン先の種類、出没機構に限定されるものではないので、ノック式筆記具、キャップ式筆記具として広く利用可能であり、特に、軸筒内に複数の筆記体を配設した多芯筆記具においては、軸筒の外径が大きくなる傾向であるため、本発明の効果は顕著である。
【図面の簡単な説明】
【００３８】
【図１】実施例１の筆記具の軸筒を示す、縦断面図である。
【図２】図１におけるボールペンレフィルを省略した前軸の縦断面図である。
【図３】図２におけるグリップ部材を省略した前軸の縦断面図である。
【図４】図２におけるＡ−Ａ断面図である。
【図５】貫通孔間の把持部における撓みの押圧力を測定する図である。
【符号の説明】
【００３９】
１  筆記具の軸筒
２  前軸
２ａ  貫通孔間の把持部
２ｂ  口先部
３  後軸
４  グリップ部材
５  貫通孔
６  インキ収容管
７  ボールペンチップ
Ｂ  貫通孔間の把持部における径方向の幅
Ｃ  貫通孔の内壁側の開口幅
Ｄ  貫通孔のグリップ側の開口幅
Ｅ  貫通孔間の把持部に対向するグリップ部材の厚さ
Ｆ  貫通孔に対向するグリップ部材の厚さ
Ｇ  指の押圧力方向
Ｈ  把持部の撓む方向
Ｉ  補助具の押圧力方向
ｍ  把持部の外径
ｎ  グリップ部材の外径
【図１】
2009083287.tif 000003
【図２】
2009083287.tif 000004
【図３】
2009083287.tif 000005
【図４】
2009083287.tif 000006
【図５】
2009083287.tif 000007